(57)【要約】【課題】作業性のよい光ケーブル挿通口を提供する。【解決手段】光受信機において，前記光ケーブル挿通口は，前記ケース本体の前記側板端部を凹状に切欠いて切欠部を形成し，該切欠部の底端部からケース本体の側板の外方向に突設した所定の長さを有する底板と，該底板を挟んで凹部の両端部から突設した側壁を有するように構成され，前記補完部材は，前記光ケーブル挿通口の底板の寸法の範囲内で略平行配置された外壁部および内壁部と，前記光ケーブル挿通口の側壁間の間隔より僅かに狭い寸法で外壁部と内壁部との間に夫々配置される二つの側壁とからなる光ケーブル挿通口に対向する面を開口した内部に空間を有する略四角形状に形成され，蓋体が閉じた状態にあるときに，前記補完部材は，前記外壁部及び前記内壁部の夫々の先端部と上記光ケーブル挿通口の底板内面との間に所定間隔を有する第１の光ケーブル導入経路を形成するように光ケーブル挿通口を閉塞する。【選択図】  図１７
2008009091.tif 000002
【特許請求の範囲】
【請求項１】
収納空間を有するケース本体と，
上記収納空間に収納され，外部から入力される光信号を電気信号に変換して出力する光受信部と，
上記収納された光受信部の表側に収納され，余長の光ファイバを所定の曲率で巻付ける為に表側を開放状態にした巻枠を有する光ファイバ収容部と，
ケース本体の側板を貫通した状態で，ケース本体外部から上記光ファイバ収容部に向けて光ファイバを導入できるようにしてある光ケーブル挿通口と，
更に上記光ケーブル挿通口の内側に，光ケーブル挿通口に挿通された光ケーブルを不動状態にするための光ケーブル固着手段と，
上記ケース本体に開閉自在に枢着された蓋体とを備えている光受信機において，
上記蓋体は，該蓋体の内面に突設した前記光ケーブル挿通口を閉塞するための補完部材を備え，蓋体が閉じた状態にあるときに，前記補完部材は，該補完部材と上記光ケーブル挿通口との間に所定間隔を有する第１の光ケーブル導入経路を形成するように光ケーブル挿通口を閉塞することを特徴とした光受信機。
【請求項２】
前記光ケーブル挿通口は，前記ケース本体の前記側板端部を凹状に切欠いて切欠部を形成し，該切欠部の底端部からケース本体の側板の外方向に突設した所定の長さを有する底板と，該底板を挟んで凹部の両端部から突設した側壁を有するように構成され，
前記補完部材は，前記光ケーブル挿通口の底板の寸法の範囲内で略平行配置された外壁部および内壁部と，前記光ケーブル挿通口の側壁間の間隔より僅かに狭い寸法で外壁部と内壁部との間に夫々配置される二つの側壁とからなる光ケーブル挿通口に対向する面を開口した内部に空間を有する略四角形状に形成され，
蓋体が閉じた状態にあるときに，前記補完部材は，前記外壁部及び前記内壁部の夫々の先端部と上記光ケーブル挿通口の底板内面との間に所定間隔を有する第１の光ケーブル導入経路を形成するように光ケーブル挿通口を閉塞することを特徴とした請求項１に記載の光受信機。
【請求項３】
前記光ケーブル挿通口の内面に光ケーブルの跳ね上がりを防止する挿通口跳ね上がり防止手段を備えたことを特徴とした請求項１または請求項２の何れか一項に記載の光受信機。
【請求項４】
前記光ケーブル挿通口と前記光ケーブル固着手段との間に，前記光ケーブル挿通口に挿通した光ケーブルを前記光ケーブル固着手段に導くための凹状に形成された第２の光ケーブル導入経路を備え，該第２の光ケーブル導入経路の内面に光ケーブルの跳ね上がりを防止する挿通路跳ね上がり防止手段を備えたことを特徴とした請求項１から請求項３の何れか一項に記載の光受信機。
【発明の詳細な説明】
【技術分野】
【０００１】
本発明は，光受信機における光ファイバ収容部に対して，ケースの外部から光ケーブルを導く場合に利用できる光ファイバ挿通口を供える光受信機に関する。
【背景技術】
【０００２】
光受信機においては，光ファイバ収容部に余長の光ファイバを収容している。その収容状態で光受信機の光ファイバ導入部に対して外部から力が加わると，光ファイバ収容部内の光ファイバの接続部分に力が加わり，光ファイバが傷ついたり，折れたりする恐れがある。よって，このような光ファイバの損傷事故を防止するために，光受信機における光ケーブル挿通路に位置する光ケーブルを保持させることが望まれる。
そこで従来では，図１，図２によく示されるように，光受信機１における光ケーブルの出入口６に，光ケーブル挿通路６０を位置させ，光ケーブルの出入口６から光ケーブルを挿入し，挿通路６０において上下から光ケーブル４１を弾力的に挟みつける為に，上下の当たり面に弾力部材を備える挟着用部材から成る挟着具３９をビス４０，４０で締付することにより，光ケーブル挿通路６０に位置する光ケーブル４１を保持させている。
（例えば，特許文献１）
【０００３】
【特許文献１】特開２００５−２４７６０号公報
【発明の開示】
【発明が解決しようとする課題】
【０００４】
しかし，図１及び図２に示されるように，従来の光受信機における光ファイバ挿通路６０では，光受信機ケース出入口６から先端の光ファイバを先頭にして光ファイバ収容部２４に向けて光ケーブル４１を挿入する。その場合，長尺の光ケーブル４１を上記上下の挟着部材３９の間を通さなくてはならない煩わしさがあったばかりでなく，光ケーブルの先端に予め光コネクタ等が接続されている場合は，光受信機ケース出入口６を相当以上に大きくしないと挿入できないことになり，ケースの小型化ができないといった問題があった。
更に，その挿入操作を容易とするためには，光受信機ケース出入口６を大きくすると共に，挟着部材３９を締付けるためのビスを緩めたときに，挿着部材３９が適当な間隔を維持して光ケーブルの挿入を邪魔しない構成とする必要があり，そのためには挟着部材３９の間にバネなどの弾性部材等を備えさせるようにする必要があり，ケースが大きくなったり，その構成が複雑になったりし，延いてはコストがアップするといった問題があった。
そこで本願においては，こうした問題点を解決するためになされたものであり，
その目的は，光受信機のケースにおける光ファイバ収容部に向けて外部から光ケーブルを容易に挿着可能にした光ケーブル挿通口を備えた光受信機を提供しようとするものである。
他の目的は，光受信機のケースにおける光ファイバ収容部に向けて外部から細くて長い光ケーブルを容易に挿着する場合，長尺の光ケーブルをわざわざ挿通口，挿通路に通すことなく，外部から直接的にケース内における光ファイバ収容部に向けて光ファイバの必要長さを在置させ，その後に，光ケーブルにおける中間部をケースにおける挿通路に挟み込む状態で保持するように構成された光受信機における光ケーブル挿通路を提供しようとするものである。
他の目的及び利点は図面及びそれに関連した以下の説明により容易に明らかになるであろう。
【課題を解決するための手段】
【０００５】
上記課題を解決するために，請求項１の発明は，収納空間を有するケース本体と，上記収納空間に収納され，外部から入力される光信号を電気信号に変換して出力する光受信部と，上記収納された光受信部の表側に収納され，余長の光ファイバを所定の曲率で巻付ける為に表側を開放状態にした巻枠を有する光ファイバ収容部と，ケース本体の側板を貫通した状態で，ケース本体外部から上記光ファイバ収容部に向けて光ファイバを導入できるようにしてある光ケーブル挿通口と，更に上記光ケーブル挿通口の内側に，光ケーブル挿通口に挿通された光ケーブルを不動状態にするための光ケーブル固着手段と，上記ケース本体に開閉自在に枢着された蓋体とを備えている光受信機において，
上記蓋体は，該蓋体の内面に突設した前記光ケーブル挿通口を閉塞するための補完部材を備え，蓋体が閉じた状態にあるときに，前記補完部材は，該補完部材と上記光ケーブル挿通口との間に所定間隔を有する第１の光ケーブル導入経路を形成するように光ケーブル挿通口を閉塞する。
【０００６】
請求項２の発明は，請求項１に記載の光受信機において，前記光ケーブル挿通口は，前記ケース本体の前記側板端部を凹状に切欠いて切欠部を形成し，該切欠部の底端部からケース本体の側板の外方向に突設した所定の長さを有する底板と，該底板を挟んで凹部の両端部から突設した側壁を有するように構成され，前記補完部材は，前記光ケーブル挿通口の底板の寸法の範囲内で略平行配置された外側壁および内側壁と，前記光ケーブル挿通口の側壁間の間隔より僅かに狭い寸法で外側壁と内側壁との間に夫々配置される二つの側壁とからなる光ケーブル挿通口に対向する面を開口した内部に空間を有する略四角形状に形成され，蓋体が閉じた状態にあるときに，前記補完部材は，前記外側壁及び前記内側壁の夫々の先端部と上記光ケーブル挿通口の底板内面との間に所定間隔を有する第１の光ケーブル導入経路を形成するように光ケーブル挿通口を閉塞する。
【０００７】
請求項３の発明は，請求項１または請求項２の何れか一項に記載の光受信機において，前記光ケーブル挿通口の内面に光ケーブルの跳ね上がりを防止する挿通口跳ね上がり防止手段を備えた。
【０００８】
請求項４の発明は，請求項１から請求項３の何れか一項に記載の光受信機において，前記光ケーブル挿通口と前記光ケーブル固着手段との間に，前記光ケーブル挿通口に挿通した光ケーブルを前記光ケーブル固着手段に導くための凹状に形成された第２の光ケーブル導入経路を備え，該第２の光ケーブル導入経路の内面に光ケーブルの跳ね上がりを防止する挿通路跳ね上がり防止手段を備えた。
【発明の効果】
【０００９】
以上のように，ケース本体の側板に形成された光ケーブル挿通口に光ケーブルを横臥状態で載置し蓋体を閉めるだけで，蓋体に形成された補完部材と光ケーブル挿通口との間に形成される導入経路から余長の光ケーブルをケース本体の側板を貫通した状態で極めて簡単に収容することができる作業上の効果がある。
【００１０】
更に本発明にあっては，前記光ケーブル挿通口は，前記ケース本体の前記側板端部を凹状に切欠いて切欠部を形成し，該切欠部の底端部からケース本体の側板の外方向に突設した所定の長さを有する底板と，該底板を挟んで凹部の両端部から突設した側壁を有するように構成され，前記補完部材は，前記光ケーブル挿通口の底板の寸法の範囲内で略平行配置された外壁部および内壁部と，前記光ケーブル挿通口の側壁間の間隔より僅かに狭い寸法で外壁部と内壁部との間に夫々配置される二つの側壁とからなる光ケーブル挿通口に対向する面を開口して内部に空間を有する略四角形状に形成されることによって，蓋体が閉じた状態にあるときに，前記補完部材は，前記外壁部および前記内壁部の夫々の先端部と上記光ケーブル挿通口の底板内面との間に所定間隔を有する第１の光ケーブル導入経路を形成するように光ケーブル挿通口を閉塞するように構成したので，
前記導入経路は光ケーブルを挿通可能な開口を有していても，外壁部側と内壁部側とが所定長離れて存在することになり，この導入経路によって外部からの埃や砂，雨水等の水分が光受信機内部へ侵入するのを阻止することができる。
また，導入経路は，その中間部に，補完部材（即ち，蓋体から突設した外壁部，内壁部，２つの側壁）によって形成された空間をそなえることから，強い風などによって舞い上がった埃や砂，雨水等がたとえ外壁部側の導入経路から進入したとしても，その空間によってそれ以上内部に進入することはなく簡単な構成であっても高信頼な光受信機を提供できる。
【００１１】
更に本願にあっては，光ケーブル挿通口と前記光ケーブル固着手段との間に，前記光ケーブル挿通口に挿通した光ケーブルを前記光ケーブル固着手段に導くための凹状に形成された凹状の第２の光ケーブル導入経路を形成し，この凹部の内面に光ケーブルの跳ね上がりを防止する挿通路跳ね上がり防止手段を備えている場合であっては，光ケーブルを装着した後で蓋体を占めるまでの間，光ケーブルを指先等で押えていなくとも，光ケーブルが挿通路から跳ね上がることがないので作業上の効果がある。同様に本願にあっては，前記光ケーブル挿通口に形成される第１の光ケーブル導入経路の内面に光ケーブルの跳ね上がりを防止する挿通口跳ね上がり防止手段を備えても同様に作業上の効果がある。
【発明を実施するための最良の形態】
【００１２】
以下に，本発明を具体化した実施形態の例を，図面を基に詳細に説明する。図１及び図２は，ケース７におけるケース本体３と，ケース本体３内に収納される電子機器（本願の実施例においては光受信部。以下，光受信部と記載する。）１３及び光ファイバ収容部２４の位置関係を示す正面図及び結線盤３ａ側から見た分解斜視図である。尚，これらの図において挿通路６０の構成は，従来技術に示す挿通路を表示するものである。図３はケース本体３の第１実施例を示す天板３ｃ側から見た概略斜視図，図４はケース本体の第２実施例を示す天板３ｃ側から見た概略斜視図，図５はケース本体３の第３実施例を示す天板３ｃ側から見た概略斜視図である。
図６（ａ）は図５に示される第３実施例のケース本体３における保持体９３の正面図であり，（ｂ）は背面図である。図７（ａ）は図６（ａ）に示されるＡ−Ａ線断面図であり，（ｂ）は図６（ａ）に示されるＢ−Ｂ線断面図であり，（ｃ）は図６（ａ）に示されるＣ−Ｃ線断面図である。図８（ａ）は図５に示されるＤ−Ｄ線断面図でありケース本体３と保持体９３の嵌合状態を示し，（ｂ）は図８（ａ）に示されるＥ−Ｅ線断面図である。図９は図５に示されるケース本体３に光受信部１３を取り付けたときのＦ−Ｆ線の一部を破断した一部断面図である。
図１０は挿通路６０における挟持具３９と，二系列の光ケーブル４１，４２の位置関係を説明する為の図で，（ａ）は挟持具を開いた状態，（ｂ）は挟持具を閉じた状態を示す一部拡大した正面図である。図１１は挟持具の実施例を示す拡大斜視図である。図１２は本願の光ファイバ収容部２４と挿通路６０の要部を拡大した斜視図である。図１３は光ケーブル挿通口の拡大斜視図である。図１４は本発明に係るケース本体３と，ケース本体３内に収納される光受信部１３及び光ファイバ収容部２４の位置関係を示す正面図及び結線盤３ａ側から見た分解斜視図である。図１５はケース本体３に蓋体４を装着した図であり，（ａ）は正面図，（ｂ）は前面図である。図１６（ａ）は図１５（ａ）におけるＧ−Ｇ線から見た拡大図であり，（ｂ）は図１５（ｂ）におけるＨ−Ｈ線から見た断面図であり，（ｃ）は図１５（ｂ）におけるＩ−Ｉ線から見た断面図である。図１７（ａ）は図１５（ｂ）におけるＪ−Ｊ線から見た断面図であり，（ｂ）は図１５（ｂ）におけるＫ−Ｋ線から見た断面図である。
【００１３】
図１及び図２に示されるように，３は，周知のようにオフィスビルやマンションなどの出入り口近くに設置する光受信機１におけるケース本体を示し，通常は図に示されない任意の蓋体を開閉自在に備える。４ａは蓋体の止具を示す。
ケース本体３は，天板３ｃと，天板に平行する状態で配置される結線盤３ａと，天板３ｃと結線盤３ａとの間に夫々配置される二つの側板３ｂとを角形に配置すると共に，上記天板３ｃ，結線盤及び二つの側板３ｂで囲まれる角形の空間５の一面を塞ぐように備えさせた裏側板３ｄとで構成されている。
ケース本体３の表側面には，ケース外部からケース内の光ファイバ４４等を操作するための比較的大きな開口部３ｅを備えさせ，さらに上記ケース本体の開口部３ｅに対しては開閉自在にケース本体に枢着された図には示されていない前記蓋体を被せ付けてケース７を構成し，さらに，上記ケース本体３において，外部から表側面の開口部３ｅを通してケース内５の光ファイバ４４等を操作可能とする位置には，大きな曲率で添え付け状に配置される光ファイバを受け止める為の基板２５と，光ファイバを大きな曲率で基板２５に添わせた状態で配置した場合に，周方向外部に向けて光ファイバが逃げ出すのを防ぐために基板面上に柵状に配設した周壁５８，２７等で構成される光ファイバ収容部２４を備えさせている。
５は，ケース本体３における収納空間を示し，Ｏ／Ｅ変換手段を備える光受信部１３と，余長の光ファイバ４４等を収容する為の収容部２４とを備えている。ケース本体３の下側の結線盤３ａは，例えば底部３ｄ，側部３ｂを含む本体部分とプラスチック材で一体に又は各別材を組み合わせて形成してある。結線盤３ａに備える８，９は公知のテレビ信号を取り出す為の出力端子突出口を示す。以下にケース本体３の実施例について説明する。また，裏側板３ｄに備える１０はシールドケースを固定するための従来例の係止爪である。
【００１４】
（第１実施例）
図３において裏側板３ｄには第１実施例に係る第１の保持体２００が備えられている。この第１の保持体２００は基体２０１から突設した可動係止片２０２と受止段部２０３からなり，可動係止片２０２と受止段部２０３とで，図３には示されていない光受信部１３に形成した係止部を挟持して，該光受信部１３をケース本体内に取り付ける。尚，この取付方法の詳細については後述する。
この第１の保持体２００は，結線盤３ａと天板３Ｃとの中間位置に，裏側板３ｄから突設した止着爪３１ｄと保持爪３２ｄによってケース本体３の裏側板３ｄに着脱自在に固着されている。その取付方法は，基体２０１の前面端２０４ｄを止着爪３１ｄに当付てから基体２０１の後方端２０５を保持爪３２ｄに嵌め込んで挟持することで取付が完了する。更に，止着爪３１ｄおよび保持爪３２ｄの一組が天板３ｃ側にも形成されており，本願の第１実施例では，第１の保持体２００はケース本体３の中間位置若しくは天板３ｃ側の２ヶ所に選択的に着脱自在に固着されるように構成されている。
尚，図における１６０は光ケーブル挿通口である。
【００１５】
（第２実施例）
図４に示すこの実施例では，上述の第１実施例に示されているように，第１の保持体２００は着脱自在に固着できるように構成されるものの，天板３ｃ側に形成された保持体２００を取り付けための止着爪３１ｄおよび保持爪３２ｄの一組に替えて，裏側板３ｄと一体的に形成された固定係止片１０と受止段部１１からなる固定係止部１００が形成されており，大きい光受信部１３を取り付ける場合はこの固定係止部１００において取り付けられ，小さい光受信部を取り付ける場合には保持体２００を用いて取り付けることで，異なる２つの大きさの光受信部１３を取り付け可能なように構成されている。
【００１６】
（第３実施例）
この実施例は，図５によく示されるように，上記第１および第２の実施例と同様に，固定係止部１００と保持体を有するものであるが，保持体の構成が上記第２実施例とは異なるものである。この保持体の具体例を図６に示す。この図において（ａ）は正面図であり，（ｂ）は背面図である。
第２の保持体９３は，その外形は，幅がケース本体３の両側板３ｂ間の寸法と略等しく，その高さは側板３ｂの高さと略等しいか僅かに小さい寸法を有する略長方形状に例えば合成樹脂等の弾性材から形成されている。この第２の保持体９３には，保持体９３の所定位置に，ケース本体３の開口部側から前記裏側板３ｄ側に向かって所定長切欠いた切欠部９５を両側に有し，その先端部に形成された図には示されていない前記光受信機１３のシールドケースに形成された係止部の上端部に引っ掛かる鉤部９４ｂと，鉤部９４ｂを支持する基部９４ａからなる可動係止片９４が形成されている。この可動係止片９４はその平面位置が基部９４ａと保持体９３本体との接続部において，前記保持体９３がなす平面より前記光受信部１３方向に所定寸法だけ突設するように平行配置されている。そして，前記可動係止片９４の前記基部９４ａと保持体９３との接続部から前記切欠部９５を挟んだ両側近傍には，前記保持体９３から前記結線盤方向に突設した裏側止着片９６ａと，前記保持体９３から該裏側止着片９６ｂと直交する方向に突設した上側止着片９６ｂからなる受止段部９６がそれぞれの係止片９４に一対ずつ備えられている。
【００１７】
更に，前記保持体９３の受止段部９６と保持体９３の下端部９７との間には，該保持体９３の長手方向に亘って断面略ト字型となるようにケース本体３の結線盤３ａ方向に向かって一体に形成された補強板９８が一体的に形成され，前記保持体９３の長手方向に直交する方向に加わる力に対して撓み難くしている。これらは図７に良く示されており，この図７において（ａ）は図６（ａ）におけるＡ−Ａ線断面図であり可動係止片９４の略中央の断面図である。（ｂ）は図６（ａ）におけるＢ−Ｂ線断面図であり可動係止片９４中央部を外した位置の断面図である。（ｃ）は図６（ａ）におけるＣ−Ｃ線断面図であリ受止段部９６を含む保持体９３の断面図である。
また，保持体９３の上方端部には，結線盤３ａ方向にむかって傾斜を持たせた当付面９３ａが形成されている。また，保持体の両側端には側方に向かって突設された突起部９３ｂが形成されている。尚，９４ｃは可動係止爪９４背部に形成された補強用のリブである。
【００１８】
次に保持体９３のケース本体３への取付方法について図５と図８を用いて説明する。図５によく示されるように，ケース本体３の両側板３ｂには，裏側板３ｄから開口部方向にかけて形成され複数の溝部３３ａを有する側板嵌合部３３が形成されており，裏側板３ｄには，前記側板嵌合部３３の溝部３３ａを結ぶ線上に複数の溝部６３ａを有する裏側板嵌合部６３が所定位置に形成されており，前記側板嵌合部３３と裏側板嵌合部６３とで請求項の嵌合部を構成している。保持体９３はこの嵌合部に対して，保持体９３の両端側を側板嵌合部３３の複数備えられた溝部３３ａの内の所定溝部に嵌め込み，更に，保持体９３の嵌合端部９７が裏側板３ｄに形成された裏側板嵌合部６３の嵌合溝６３ａに嵌め込まれるまで押付けることによって取り付けが完了する。図５に示される，保持体９３をケース本体３に取り付けた状態におけるＤ−Ｄ線断面図が図８（ａ）に示されており，保持体９３は嵌合部の結線盤３ａ方向から３つめの嵌合溝に嵌め込まれた状体が示されている。そして，図８（ｂ）には図８（ａ）におけるＥ−Ｅ線断面図が示されている。この図によれば，側板３ｂの側板嵌合部３３が形成された内側には，ケース本体３の開口端部側から所定のところに形成された段部３３ｂから裏側板３ｄにかけて，ケース本体３の開口部より僅かに外方向に大きくなるように凹部３３ｃが形成されている。
【００１９】
保持板９３の係止方法を説明すると，先ず保持板９３の嵌合端部９７を嵌合部の所定位置の溝部に嵌め込んでいくと突起部９３ｂが側板３ｂの上端に当接する。突起部９３ｂは下方向から上方にかけて外方向に開くように斜面を有するように形成されている。そして，ケース本体３は合成樹脂材などの弾性材から形成されているので，保持体９３を更に下方向に押さえつけると，保持体９３は側板３ｂを外方向に拡開させながら進む。更に保持体９３を押付けると突起部９３の先端部が段部３３ｂを通過し，それによって側板３ｂは弾性力でもとの状態に戻され，段部３３ｂが突起部９３ｂと嵌合することで保持体９３はケース本体３に掛脱自在に固着される。また，上述のように側板３ｂは弾性を有することから，保持体９３の取り外しは，側板３ｂを外方向に広げることによって，段部３３ｂと突起部９３ｂとの係止が解除され，保持体９３の取り外しは容易にできる。
【００２０】
次に，図９を用いて光受信部１３をケース本体３に取り付ける方法について説明する。尚，説明を簡単にするために第３実施例に示されるケース本体３に光受信部１３を取り付ける場合について説明する。図９は，図５に示されるケース本体３の斜視図に光受信部１３を取り付けた状態におけるＦ−Ｆ線の一部を破断した一部断面図である。
図９に示される光受信部１３は，通常知られているように外部はシールド効果を有する金属製のケース（シャーシ）１４（図に示される１４ｂは蓋体である。）で構成されており，内部には，光信号をテレビ受像機用の入力信号に変換する為の手段，通常，Ｏ／Ｅ変換手段として知られている電子回路が収められている。また必要に応じては周知のように増幅回路が収まっている。ケース（シャーシ）１４の表面の所定位置には，光アダプタ２０が着脱自在に固着されている。この光アダプタ２０には，ケース１４内のＯ／Ｅ変換手段に連なる光ファイバ１７の先端に付されている光コネクタ２１ａが抜差自在に接続されている。光コネクタ２１ａはケース１４に設けた孔を通してケース１４の内に収納できるようにしても良いし，ケース１４の蓋が開閉できるように光ファイバ１７のリード線を長くしてあっても良い。１６は同軸ケーブル接栓であり例えば周知のテレビ信号用出力端子の存在を示す。
【００２１】
光受信部１３のケース１４の同軸ケーブル接栓１６が形成された一側面と対向する側面には，ケース１４を外方向に突出するように絞出し形成した係止部１５が１若しくは複数個所（図には一ヶ所しか示されていない。）形成されており，この係止部１５がケース本体３に備えられた保持体９３に形成された移動係止片９４（もしくは，固定係止部１００に形成された固定係止片１０）によって着脱自在に保持される。
【００２２】
更に，取付構造と取付手順について説明する。先ず，光受信部１３の同軸ケーブル接栓１６がケース本体３の結束盤３ａに形成された出力端子突出口９から頭出しした状態となるように収納空間５にケース１４を取り付ける。そして，ケース１４を結線盤３ａ方向に押付けながらケース１４の係止部１５が形成された側を係止片９４に押付ける。このとき，同軸ケーブル接栓１６の基部１６ａの一部もしくは全周をテーパ状に形成することによって，同軸ケーブル接栓１６の中心軸と出力端子突出口の中心軸とは略同一軸線上となるように取り付けることができる。
係止片９４は弾性部材から構成されているので，ケース１４の係止部１５を押付けることによって，可動係止片９４が保持体方向に押し広げられてケース１４がはめ込まれる。そして，可動係止片９４の鉤部９４ｂがケース１４の係止部１５に嵌合してケース１４は係止される。可動係止片９４は保持体９３よりケース１４側前面に突出するように平行配置されているので，保持体９３の上面９３ａがケース１４の装着に邪魔になることはない。
【００２３】
保持体９３に形成された可動係止片９４の下部には前記受止段部９６が形成されているので，前記シールドケース１４をケース本体３に取り付けた状態で，ケース１４は同軸ケーブル接栓（詳しくは，同軸ケーブル接栓の基部）と出力端子突出口との嵌合，及び，係止部１５側が前記鉤部９４ｂと前記裏側止着片９６ａとの間で挟持されることで，裏側板に直交する方向への動きが制限される。また，同軸ケーブル接栓（詳しくは，同軸ケーブル接栓の基部）と出力端子突出口との嵌合，及び，前記上側止着片９６ｂとで，前記シールドケース１４の保持体９３若しくは結線盤３ａ方向への動きが制限され，ケース１４はケース本体３内部に確実に固定される。
【００２４】
次に，挿通路６０について図１０をもとに説明する。挿通路６０は，基板２５の一部を凹陥させた形状であって，光ケーブル４１，４２を沿わせる下面６２ｃ（前記光ケーブル挿通口６から見て奥部には，基板２５の上面に向けて光ケーブル４１を案内するための緩やかな上り斜面Ｒ１を有する）と，相互に対向する両側面を備えた溝部２６０を形成している。
【００２５】
前記溝部２６０における光ケーブルの取り入れ口には上下から光ケーブル４１，４２を挟み付けるために上下の当たり面に弾力部材を備える挟着用部材から成る挟着具３９が配設されており，挿着された光ケーブル４１，４２を着脱自在に保持している。
この実施例に示す挟着具３９は図１１の斜視図によく示されるように，光ケーブル４１，４２の軸線に対して直交する方向を長手方向とする押圧片３９ａと，該押圧片３９ａから長手方向に突設した枢着片１３９が形成されている。該枢着片１３９には外方向に向かって枢着軸１３９ａ（一方は図示されていない）が形成されている。この枢着軸１３９ａ，１３９ａは，基板２５に形成された図には示されていない枢着孔を備えた枢着部に枢着されており，この枢着部において挟着具３９が開閉自在となるように取り付けられている。更に，押圧片３９ａの光ケーブルの当たり面には弾性部材７１ａ，７２ａが両側の対称位置で，夫々間隔を隔てて配設されている。尚，弾性部材７１ａ，７２ａは光ケーブル４１，４２に対応するように配設されているのであるが，弾性部材７１ａ，７２ａは一体で形成してもよい。
【００２６】
次に，図１０（ａ）に良く示されるように，前記挟持具３９の押圧片３９ａに備えた前記弾性部材７１ａ，７２ａに対向する下面６２ｃには，挟持具３９を閉じた状態にした時に，挟持具側弾性部材７１ａ，７２ａの一部を受入れると共に，底部に弾性部材７１ｂ，７２ｂを備えた凹部７０が形成されており，該凹部７０において光ケーブル４１，及び４２の左右方向（光ケーブルの挿入方向に対して）の位置決めが行われると共に，この位置において挟圧保持するように構成されている。尚，本願の実施例においては，前記弾性部材７１ｂ，７２ｂと凹部７０，７０とで当付部１６２，１６２を構成している。
また，前記下面６２ｃと挟持具３９の固着手段として，固着ねじ４０を用いて締着する例を示したが，特にこの実施例に限定されるものではない。また，当付部１６２，１６２は光ケーブル４１及び４２の本数に対応するように両側の対称位置で，夫々間隔を隔てて配設されるように形成したが，１つの当付部であってもよい等，特に実施例に限定されるものではない。
【００２７】
この挿通路６０のより詳細な図を図１２に示す。図１２（ａ）は光ファイバ収容部２４の挿通路６０を示す一部を破断した部分斜視図であり，（ｂ）は異なる実施例の要部斜視図である。
図１２（ａ）に良く示されるように，底面に弾性部材７１ｂ，７２ｂを備えた凹部７０には，手前側（結線盤方向）に延設された誘導凹部７０ａが形成されている。該誘導凹部７０ａは導入された光ケーブル４１，及び４２の当付部１６２への誘導を容易にすると共に，誘導凹部７０ａの開口部上方には，光ケーブルを装着してから挟着具３９を締付ける前に光ケーブルが跳ねて挿通路から飛び出さないようにするための突片２９が形成されており光ケーブルの配線を容易とするためのものである。尚，前記誘導凹部７０ａが請求項に記載の第２の光ケーブル導入経路であり，前記突片２９が請求項に記載の挿通路跳ね上がり防止手段である。
このように，この実施例は，ケース本体３の上方から光ケーブルを簡単に挿着できるように構成したものであり，光ケーブルの装着が簡単であっても，誘導凹部７０ａに形成した前記突片２９を備えることで，光ケーブルが跳ねて飛び出さないのである。
【００２８】
図１２（ａ）の実施例に示される突片２９は，誘導凹部７０ａの開口端側から誘導凹部７０ａの中心方向に向けてそれぞれ突出寸法の異なる突片２９ａ，２９ｂを対向配置したものを一組として，本願の実施例では誘導凹部７０ａの前方側と後方側に２組設けると共に，前方側の突片２９ａと後方側の突片２９ａとは突設方向が対向するように互い違いに配置することによって，突片２９ａと突片２９ｂの先端と先端がなす空間はそれぞれ誘導凹部７０ａの軸線上からずれて配置され，これによって装着後の光ケーブルの跳ね上がりをし難いように構成されている。
図１２（ｂ）の実施例には上記実施例とは異なる突片３０が示されている。この実施例の突片３０は，誘導凹部７０ａの開口端部から中心方向下方に向かって傾斜する傾斜部と傾斜部の先端から下方に延設した舌状部とからなり，舌状部が所定の間隔を有するように誘導凹部７０ａの上方両側から対向配置されている。これによれば，突片３０は光ケーブルの導入を容易とする傾斜部を備えているので装着に邪魔にならない。そして，光ケーブルの装着後は光ケーブルを突片３０の内側に位置するように配設すれば光ケーブルの跳ね上がりを防止できるのである。
【００２９】
図１３にはこの挿通路６０に対応する光ケーブル挿通口１６０の拡大斜視図が示されている。この実施例における光ケーブル挿通口１６０は，ケース本体３の結線盤３ａに上端を開口した略四角形状に形成されており，底端部から突設して底面を形成する底板１６０ｃと，該底板１６０ｃを挟んで開口端部の両側から突設した側壁１６０ｂ，１６０ｂとで囲まれるように構成されている。
そして，挿通口１６０の底部１６０ｃは，挿通路６０に対して光ケーブル４１，４２を夫々確実に誘導する位置に形成されている。また，該底部１６０ｃにはケース本体３と一体に形成された隔壁１６０ａを備えさせることによって，左右に誘導路１７０，１７０を形成し，光ケーブルを挿通路６０の所定位置に確実に誘導できることができるように構成されている。挿通口１６０の底板１６０ｃの突出寸法は，ケース本体３外部とケース本体３内部とを接続する光ケーブルの導入経路を所定長得るような寸法に構成されている。尚，この誘導路１７０が請求項に記載の第１の光ケーブル導入経路である。
また，本実施例では挿通口１６０をケース本体３の結線盤３ａに一体的に形成した例を示したが，基板２５と一体に形成してもよく特に実施例に限定されるものではない。
【００３０】
次に，本発明の実施例では図１４に示されるように，ケース本体３に光受信部１３を収納した後に，ケース本体３の開口部３ｅ側に光ファイバ収容部２４を収納する。その後，図１５（ａ）の正面図に示されるように開口部３ｅに蓋体４を組付けることによって光受信機１の組付けが完了する。図１５（ｂ）は結線盤３ａ方向を見た面図である。この図に示されるように，蓋体４にはケース本体の結線盤３ａ側の一部を被うように折返部４ｂが形成されている。そして，この折返部４ｂの光ケーブル挿通口１６０に対向する位置には，光ケーブル挿通口１６０の開口部を覆うための補完部材１４０が形成されている。
【００３１】
ここで図１６，図１７を用いて補完部材１４０と光ケーブル挿通口１６０との嵌合状態を説明する。図１６（ａ）は図１５（ａ）におけるＧ−Ｇ線から見た補完部材１４０とケーブル挿通口１６０の拡大面図である。図１６（ｂ）は図１５（ａ）におけるＨ−Ｈ線断面図であり，補完部材１４０と光ケーブル挿通口１６０との嵌合状態を結線盤３ａに並行する面で切断した断面図である。図１６（ｃ）は図１５（ｂ）におけるＩ−Ｉ線断面図であり，補完部材１４０と光ケーブル挿通口１６０との嵌合状態を結線盤３ａの長手方向がなす面で切断した断面図である。また，図１７（ａ）は図１５（ｂ）におけるＪ−Ｊ線断面図，図１７（ｂ）は図１５（ｂ）におけるＫ−Ｋ線断面図であり，それぞれ補完部材１４０と光ケーブル挿通口１６０との嵌合状態を結線盤３ａの長手方向に直交する面で切断した断面図である。
【００３２】
これらの図によく示されるように補完部材１４０は，蓋体４に形成した折返部４ｂと一体的に形成された外壁部１４１と，前記蓋体４の内面から前記外壁部１４１と所定間隔離れて略平行配置されるよう突設した内壁部１４３と，外壁部１４１と内壁部１４３の間に夫々配置される二つの側板１４２とを略角形に配置し，一方は蓋体４で閉塞され他方は開口した，内部に空間１４０ａを備えた略四角形状に形成されている。そして，外壁部１４１の開口端１４１ｂ略中央部及び内壁部１４３の開口端１４３ｂ略中央部には，前記隔壁１６０ａの上端部の形状に対応する切欠部１４１ａおよび１４３ａが形成されている。
【００３３】
そして，蓋体４がケース本体３に閉じた状態にあるときは，補完部材１４０は，補完部材１４０の先端部と光ケーブル挿通口１６０の底面１６０ｃとの間に，光ケーブルが挿通可能な寸法の導入経路１７０を有するように光ケーブル挿通口１６０内に挿入された状態になる。即ち，補完部材１４０の外壁部１４１と内壁部１４３は，その間隔が前記光ケーブル挿通口１６０の底板１６０ｃの突設寸法と同じか僅かに小さくなるように配置され，補完部材１４０の側壁１４２と側壁１４２は，その間隔が前記光ケーブル挿通口１６０の側壁１６０ｂと側壁１６０ｂの間隔より僅かに小さくなるように配置され，補完部材１４０の蓋体４からの突設寸法が，補完部材１４０の先端部に形成された切欠部１４１ａおよび１４３ａが光ケーブル挿通口１６０に形成された隔壁１６０ａの先端部に嵌合するように配置されるように補完部材１４０は挿通口１６０に挿入される。
【００３４】
次に余長の光ファイバ収容部２４について説明する。この光ファイバ収容部２４において，２５は基板を示し，プラスチックなどの硬質平板材で形成してある。基板２５は任意の手段，例えばケース本体３に対して直接的に，又はケース本体３に装着されている上記のケース１４に対して着脱自在にねじ部材などを用いて装着する。図１，２に現れる２５aは基板２５から延長させたカバーを示し，リード線１７を保護する為のものである。２５ｂは基板２５の上に設けたコネクタ仮止め具の存在を示すものである。
基板２５の上面に対しては，図示のように光ファイバ４４，４５，４６，４７の添え付けを可能とする安全曲率の範囲内で小さい曲率に形成されている周壁２６ａ，２７ａを有する第１巻枠２６と，第２巻枠２７とを並置させてある。安全曲率としては光ファイバのメーカーによって種々な説があるが，一般的には半径が２０ミリメートル〜３０ミリメートルあれば安全な曲率といわれている。
【００３５】
第１巻枠２６と，第２巻枠２７とは，基板２５が合成樹脂で成型されていることによって基体２５に一体材で成型される。これらの巻枠の周壁２６ａ，２７ａには，光ファイバの滑りを止める為に，必要に応じて上下方向に長いスリットが周方向に多数配設してあってもよい。更に巻枠の平面形状は真円であっても良いし，安全曲率以上の曲率を備える楕円形であっても良い。
また，巻枠の周壁２６ａ，２７aは，基板２５とは別体で形成し，基板２５の所定位置に任意の接合手段，例えば基板２５に多数の孔を穿ち，巻枠の側から延びる多数の爪を嵌合させる手段を用いて，或いは接着剤などを用いて密着状態に装着してもよい。
２８は周壁２６ａ，２７aに添わせる光ファイバ４４，４５，４６，４７が跳ね上がるのを阻止するために予め周壁２６ａ，２７aの上部位置に均等に割り付けて配置された複数の跳止爪を示す。この跳止爪２８は周壁２６ａ，２７aの上部位置から放射方向に向けて一体材で張り出し状に備えさせてある。上記張り出し状の跳止爪における下方の基板２５には，必要に応じて，周知のように成形時に必要な型（中子）を抜き出す為に透孔を設けておくとよい。
【００３６】
基板２５の上面において，３４，３５は公知の第１と第２のスプライスホルダの存在を示し，光ファイバ４４と４７，４５と４６とを夫々接続するための公知の第１と第２のメカニカルスプライス３６，３７を着脱自在に保持する為のものである。
配設位置としては，邪魔にならないように図１における第１巻枠２６と第２巻枠２７の中間位置の上方に選定してある。
基板２５において，基板２５の上面とほぼ同じ高さに配設してある光アダプタ２０が存在する隅部は，基板２５を欠如させ，光ファイバ４７の自由端に付着させた光コネクタ２１ｂを光アダプタ２０の受口２２に着脱自在に接続できるようにしてある。
【００３７】
次に，光ケーブルの出入口１６０近くの基板２５の上面においては，出入口６から巻枠２７に向けて大きな曲率で２芯の光ケーブル４１や，２芯（又は単芯）の光ケーブル４２の出入りを導くために緩やかに上昇するスロープが付された通路Ｒ１が形成されている。
出入口１６０の近くには上下から光ケーブル４１，４２を弾力的に挟み付ける為に上述に示した挟着具３９が配設されており，挿入された光ケーブル４１，４２を着脱自在に保持している。
【００３８】
以上に示される構成のものに光ケーブルを敷設する作業は，光ケーブルの出入口１６０の開口端から光ファイバ収容部２４に２芯の光ケーブル４１を挿入する。また必要に応じて２芯（又は単芯）の光ケーブル４２をも挿入し，固定する。この状態で通常知られている第１と第２のメカニカルスプライス３６，３７を利用する接続手段（他の任意周知の接続手段でもよい）を用いて夫々光ファイバを接続する。この接続作業においては通常知られている工具を用いるので，光ファイバ４４，４５，４６，４７は比較的長くなければならない。例えば５０cm以上であることが望ましい。作業員の都合によっては１００cm以上の場合もある。
【００３９】
上記のようにして光ファイバ相互が接続された後は，図１３に現れているように，これらのループ状になっている余長の光ファイバ（余分な長い光ファイバ）を光ファイバ収容部２４に対して綺麗に納めなければならない。本願における光ファイバ収容部は，光ファイバ接続後，余長部分を収納する場合，右巻きに巻いたり左巻きに巻いたり，小嵩に収納したり，多数の態様の巻き方を適宜選択利用することができる事から，光ファイバの余りの長さが大きく，しかも，ループ状で，そのループの長さが適当で定かでない場合でも，光ファイバを仕上がりよく巻き付け，格好の良い仕上がりにすることが可能になる。
しかも上記態様の巻き方は夫々巻枠２６，２７に対して緩く巻き付けても，きつく巻き付けても，巻枠の安全曲率以下にはならないので，光ファイバの曲率が小さくなって損傷することを気にしなくても，必ず安全曲率以上の曲率で巻くことができるようになる。
【００４０】
なお，上記のようにして，ケース本体３の内に光受信部１３と，余長の光ファイバ収容部２４とを装着し，光ファイバ収容部２４に光ファイバを納めた後は通常の利用方法によって利用される。例えばケース本体３に図には示されない蓋４を被せ，通常の如く家屋に装着する。
その後は出入口１６０から引き出されている光ケーブル４２に例えば家屋５４内におけるメディアコンバータ５０，パソコン５１を接続して光信号を利用する。又出入口９の接続端子１６から引き出された同軸ケーブルにはセットトップボックス５２，テレビ受像機５３を接続して利用する。
【００４１】
次に挿通路６０に，光ケーブルを固定する作業の一例について，例えば図１４に示されている光ファイバ収容部２４に光ファイバーを納める作業を終え，それらの光ファイバー４４に連なる光ケーブル４１を固定する作業を説明する。
図１０（ａ）に示されるように，外部に対しても長く連なっている光ケーブル４１の中間をつまみ，ケース本体３に設けられている挿通口１６０の上方から下面６２ｃに形成した当付部１６２，１６２と挟着具３９の間に存置させる。
次に図１０（ｂ）に示されるように，固着ねじ４０からなる固着手段を螺着させることによって，弾性部材７１，７２を介して，挟着具３９で光ケーブル４１を挟圧し，光ケーブル４１を正確に保持することになる。
【００４２】
以上のように，本発明によれば，ケース本体の側板３ａに形成された光ケーブル挿通口１６０に光ケーブルを横臥状態で載置し蓋体４を閉めるだけで，蓋体４に形成された補完部材１４０と光ケーブル挿通口１６０との間に形成される導入経路１７０（第１の光ケーブル導入経路）から余長の光ケーブルをケース本体３の側板３ａを貫通した状態で極めて簡単に収容することができる作業上の効果がある。
【００４３】
更に本発明にあっては，前記光ケーブル挿通口１６０は，前記ケース本体３の前記側板３ａ端部を凹状に切欠いて切欠部を形成し，該切欠部の底端部からケース本体の側板の外方向に突設した所定の長さを有する底板１６０ｃと，該底板１６０ｃを挟んで凹部の両端部から突設した側壁１６０ｂ，１６０ｂを有するように構成され，前記補完部材１４０は，前記光ケーブル挿通口１６０の底板１６０ｃの寸法の範囲内で略平行配置された外壁部１４１および内壁部１４３と，前記光ケーブル挿通口１６０の側壁１６０ｂ間の間隔より僅かに狭い寸法で外壁部１４１と内壁部１４３との間に夫々配置される二つの側壁１４２とからなり，光ケーブル挿通口１６０に対向する面を開口して内部に空間を有する略四角系に形成されることによって，蓋体４が閉じた状態にあるときに，前記補完部材１４０は，前記外壁部１４１および前記内壁部１４３の夫々の先端部１４１ｂ，１４３ｂと，上記光ケーブル挿通口１６０の底板１６０ｃ内面との間に所定間隔を有する第１の光ケーブル導入経路１７０を形成するように構成したので，前記導入経路１７０は光ケーブルを挿通可能な開口を有していても，外壁部側１４１と内壁部側１４３とが所定長離れて存在することになり，この導入経路１７０によって外部からの埃や砂，雨水等の水分が光受信機１内部へ侵入するのを阻止することができる。
また，導入経路１７０は，その中間部に，補完部材（即ち，蓋体から突設した外壁部，内壁部，２つの側壁）１４０によって形成された空間１４０ａを備えることから，強い風などによって舞い上がった埃や砂，雨水等がたとえ外壁部１４１側の導入経路から進入したとしても，その空間１４０ａによってそれ以上内部に進入することはなく簡単な構成であっても高信頼な光受信機を提供できる。
【００４４】
更に本願にあっては，光ケーブル挿通口１６０と前記光ケーブル固着手段との間に，前記光ケーブル挿通口１６０に挿通した光ケーブルを前記光ケーブル固着手段に導くための凹状に形成された誘導凹部（第２の光ケーブル導入経路）７０ａを形成し，この誘導凹部７０ａの内面に光ケーブルの跳ね上がりを防止する挿通路跳ね上がり防止手段２９（または３０）を備えている場合であっては，光ケーブルを装着した後で蓋体４を占めるまでの間，光ケーブルを指先等で押えていなくとも，光ケーブルが挿通路６０から跳ね上がることがないので作業上の効果がある。同様に本願にあっては，前記光ケーブル挿通口１６０の内面に光ケーブルの跳ね上がりを防止する挿通口跳ね上がり防止手段を備えても同様に作業上の効果がある。尚，この場合，挿通路６０に跳ね上がり防止手段は有っても良いし無くてもよい。
【図面の簡単な説明】
【００４５】
【図１】，
【図２】ケースにおけるケース本体と，ケース本体内に収納される電子機器及び光ファイバ収容部の位置関係を示す正面図及び分解斜視図である。
【図３】ケース本体の第１実施例を示す天板側から見た概略斜視図。
【図４】ケース本体の第２実施例を示す天板側から見た概略斜視図。
【図５】ケース本体の第３実施例を示す天板側から見た概略斜視図。
【図６】（ａ）は図５に示される第３実施例のケース本体における保持体の正面図であり，（ｂ）は背面図である。
【図７】図６（ａ）に示されるＡ−Ａ線断面図であり，（ｂ）は図６（ａ）に示されるＢ−Ｂ線断面図であり，（ｃ）は図６（ａ）に示されるＣ−Ｃ線断面図である。
【図８】（ａ）は図５に示されるＤ−Ｄ線断面図でありケース本体と保持体の嵌合状態を示し，（ｂ）は図８（ａ）に示されるＥ−Ｅ線断面図である。
【図９】図５に示されるケース本体に光受信部を取り付けたときのＦ−Ｆ線の一部を破断した一部断面図である。
【図１０】挿通路における挟持具と，二系列の光ケーブルの位置関係を説明する為の図で，（ａ）は挟持具を開いた状態，（ｂ）は挟持具を閉じた状態を示す一部拡大した正面図である。
【図１１】挟持具の実施例を示す拡大斜視図である。
【図１２】本願の光ファイバ収容部２４に形成された挿通路６０の要部を拡大した斜視図である。
【図１３】光ケーブル挿通口の拡大斜視図である。
【図１４】本発明に係るケース本体と，ケース本体内に収納される光受信部及び光ファイバ収容部の位置関係を示す正面図及び分解斜視図である。
【図１５】ケース本体に蓋体を装着した図であり，（ａ）は正面図，（ｂ）は底面図である。
【図１６】（ａ）は図１５（ａ）におけるＧ−Ｇ線から見た拡大図であり，（ｂ）は図１５（ａ）におけるＨ−Ｈ線から見た断面図であり，（ｃ）は図１５（ｂ）におけるＩ−Ｉ線から見た断面図である。
【図１７】（ａ）は図１５（ｂ）におけるＪ−Ｊ線から見た断面図であり，（ｂ）は図１５（ｂ）におけるＫ−Ｋ線から見た断面図である。
【符号の説明】
【００４６】
１…光受信機，３…ケース本体，３ａ…結線盤，３ｂ…側板，３ｃ…天板，３ｄ…裏側板，３ｅ…開口部，４…蓋体，４ａ…止具，４ｂ…折返部，５…収納空間，６…光ケーブル挿通口，７…ケース，８・９…出力端子突出口，１０…固定係止部，１１…受止片，１３…光受信部，１４…ケース（シャーシ），１５…係止部，１６…同軸ケーブル接栓，１７…光ファイバ，２０…光アダプタ，２１…コネクタ，２４…光ファイバ収容部，２５…基板，２６…第１巻枠，２６ａ…周壁，２６ｆ…中心点位置，２７…第２巻枠，２７ａ…周壁，２７ｆ…中心点位置，２８…跳止爪，２９…突片，３０…突片３１ｄ…止着爪，３２ｄ…保持爪，３３…側板嵌合部，３３ａ…溝部，３３ｂ…段部，３３ｃ…凹部，３４…第１スプライスホルダ，３５…第２スプライスホルダ，３６…第１メカニカルスプライス，３７…第２メカニカルスプライス，３８…ＷＤＭフィルターホルダ，３９…挟持具，３９ａ…押圧片，３９ｂ…操作片，３９ｃ…側壁，４１…光ケーブル，４２…光ケーブル，４４〜４７…光ファイバ，５０…メディアコンバータ，５１…パソコン，５２…セットトップボックス，５３…テレビ受像機，５４…家屋，５８…周壁，６０…挿通路，６２ｃ…下面，６２ｆ…隔壁，６３…裏側板嵌合部，６３ａ…溝部，７０…凹部，７０ａ…誘導凹部（第２の光ケーブル導入経路），７１・７２…弾性部材，７３…連結部材，９３…第２の保持体，９３ａ…当付面，９３ｂ…突起部，９４…可動係止片，９４ａ…基部，９４ｂ…鉤部，９５…切欠部，９６…受止段部，９６ａ…裏側止着片，９６ｂ…上側止着片，９７…嵌合端部，９８…補強板，１００…固定係止部，１０６…突出筒，１０６ａ…隔壁，１０３…切欠部，１０７…係止部，１１０…スリット，１２５…枢着孔，１３９…枢着片，１３９ａ…枢着軸，１４０…補完部材，１４０ａ…空間，１４１…外壁部，１４２…側壁，１４３…内壁部，１４１ａ・１４３ａ…切欠部，１４１ｂ・１４３ｂ…先端部，１６０…光ケーブル挿通口，１６０ａ…隔壁，１６０ｂ…側壁，１６０ｃ…底板，１６２…当付部，１７０…導入経路（第１の光ケーブル導入経路），２００…第１の保持体，２０１…基体，２０２…可動係止片，２０３…受止片，２０４ｄ…前面端，２６０…溝部，Ｒ１…光ファイバ路。
【図１】
2008009091.tif 000003
【図２】
2008009091.tif 000004
【図３】
2008009091.tif 000005
【図４】
2008009091.tif 000006
【図５】
2008009091.tif 000007
【図６】
2008009091.tif 000008
【図７】
2008009091.tif 000009
【図８】
2008009091.tif 000010
【図９】
2008009091.tif 000011
【図１０】
2008009091.tif 000012
【図１１】
2008009091.tif 000013
【図１２】
2008009091.tif 000014
【図１３】
2008009091.tif 000015
【図１４】
2008009091.tif 000016
【図１５】
2008009091.tif 000017
【図１６】
2008009091.tif 000018
【図１７】
2008009091.tif 000019